(57)【要約】  レッグウエア（５０）は、外部からのエネルギーによって電荷を発生する電荷発生糸により編成された電荷発生領域を有し、電荷発生領域は、第１伸縮性を有する伸縮領域（１）と、前記第１伸縮性よりも低い第２伸縮性を有する低伸縮領域（２）とを含む。
2018235965.tif 000002
【特許請求の範囲】
【請求項１】
外部からのエネルギーによって電荷を発生する電荷発生糸により編成された電荷発生領域を有し、
前記電荷発生領域は、第１伸縮性を有する第１領域と、前記第１伸縮性よりも低い第２伸縮性を有する第２領域とを含むことを特徴とする編地。
【請求項２】
前記第２領域は、前記電荷発生領域の一部が溶融されて形成されていることを特徴とする請求項１に記載の編地。
【請求項３】
前記第１領域と前記第２領域とは、編目構造が互いに異なっていることを特徴とする請求項１に記載の編地。
【請求項４】
前記第２領域は、前記電荷発生領域に増し糸されて編成されていることを特徴とする請求項１に記載の編地。
【請求項５】
外部からのエネルギーによって電荷を発生する電荷発生糸により編成された電荷発生領域を有し、
前記電荷発生領域は、ウェール方向の編目一つの長さが第１寸法である第１編目と、前記ウェール方向の編目一つの長さが前記第１寸法とは異なる第２寸法である第２編目とを同コース上に含むことを特徴とする編地。
【請求項６】
請求項１から５のいずれか１項に記載の編地で編成されていることを特徴とする繊維製品。
【請求項７】
前記繊維製品はレッグウエアであって、
褥瘡が発生する可能性がある足の部位に対応する箇所である褥瘡対応箇所に前記電荷発生領域が配置されていることを特徴とする請求項６に記載の繊維製品。
【請求項８】
請求項１から４のいずれか１項に記載の編地で編成されているレッグウエアであって、褥瘡が発生する可能性がある足の部位に対応する箇所である褥瘡対応箇所に前記第２領域が配置されていることを特徴とするレッグウエア。
【発明の詳細な説明】
【技術分野】
【０００１】
本発明は、編地、およびその編地により編成される繊維製品に関する。
【背景技術】
【０００２】
従来、衣料用繊維製品等の繊維製品に対する抗菌・抗かび処理の様々な技術が知られている。例えば、特許文献１には、ポリエステル繊維の鎖状高分子の集合体の間隙に殺菌剤を侵入させて固定化する加工法が記載されている。上記加工法は、ポリエステル繊維製品と殺菌剤を含む水性液とを接触させて１１０〜２３０℃に加熱することにより、ポリエステル繊維に抗菌・抗かび作用を持たせることができる。
【先行技術文献】
【特許文献】
【０００３】
【特許文献１】日本国公開特許公報「特開昭６０−１５１３８６号公報」
【発明の概要】
【発明が解決しようとする課題】
【０００４】
しかしながら、上述のような従来技術で加工された繊維は、長時間使用するとポリエステル繊維に付着させた殺菌剤が減少し、効果も減少するという問題がある。【０００５】
本発明の一態様は、上記課題に鑑みなされたものであり、抗菌・抗かびの効果が長く持続する編地を提供することを目的とする。
【課題を解決するための手段】
【０００６】
上記の課題を解決するために、本発明の一態様に係る編地は、外部からのエネルギーによって電荷を発生する電荷発生糸により編成された電荷発生領域を有し、前記電荷発生領域は、第１伸縮性を有する第１領域と、前記第１伸縮性よりも低い第２伸縮性を有する第２領域とを含むことを特徴とする。【０００７】
また、上記の課題を解決するために、本発明の一態様に係る編地は、外部からのエネルギーによって電荷を発生する電荷発生糸により編成された電荷発生領域を有し、前記電荷発生領域は、ウェール方向の編目一つの長さが第１寸法である第１編目と、前記ウェール方向の編目一つの長さが前記第１寸法とは異なる第２寸法である第２編目とを同コース上に含むことを特徴とする。
【発明の効果】
【０００８】
本発明の一態様によれば、抗菌・抗かびの効果を長く持続できる効果を奏する。
【図面の簡単な説明】
【０００９】
【図１】（ａ）は本発明の実施形態１に係るレッグウエアを足の甲側から見た斜視図であり、（ｂ）は（ａ）を足裏側からみた斜視図である。
【図２】（ａ）は上記レッグウエアの電荷発生糸（Ｓ糸と称する）の構成の一例を示す図であり、（ｂ）は圧電フィルムの平面図であり、（ｃ）は外力が加わった時の上記電荷発生糸を示す図であり、（ｄ）は上記電荷発生糸の構成の他の例を示す図であり、（ｅ）は上記レッグウエアの電荷発生糸（Ｚ糸と称する）の構成の一例を示す図である。
【図３】（ａ）〜（ｆ）は応力集中のしくみを説明する図である。
【図４】（ａ）および（ｂ）は伸縮領域および低伸縮領域において応力が集中する箇所を説明する写真である。
【図５】（ａ）は上記レッグウエアの一部を拡大して、上記レッグウエアの静置状態を示す写真であり、（ｂ）は上記レッグウエアの引張状態を示す写真であり、（ｃ）は（ｂ）を拡大した写真である。
【図６】（ａ）〜（ｄ）は上記レッグウエアの変形例を説明する図である。
【図７】（ａ）は本発明の実施形態２に係るレッグウエアを甲側から見た斜視図であり、（ｂ）は（ａ）を足裏側からみた斜視図である。
【図８】（ａ）〜（ｆ）は上記レッグウエアの変形例を示す図である。
【図９】（ａ）〜（ｅ）は上記レッグウエアの他の変形例を示す図である。
【図１０】本発明の実施形態３に係るレッグウエアの左側面図である。
【図１１】上記レッグウエアの低伸縮領域の拡大図である。
【図１２】編地を伸張させることにより編地に歪みが生じた場合の応力の大きさを示す図である。
【図１３】（ａ）は、上記レッグウエアの一部である試料において、水滴が接着部に接触している様子を示す模式図であり、（ｂ）は、上記レッグウエアとは異なるレッグウエアの一部である試料において、水滴が接着部に接触している様子を示す模式図である。
【図１４】接着部付近の電荷発生糸に加わる応力の大きさを示す図である。
【発明を実施するための形態】
【００１０】
〔実施形態１〕
本発明の実施形態１について、図１〜図５に基づいて以下に説明する。なお、本実施形態では、レッグウエアを例に挙げて説明するが、本発明はレッグウエアに限らず、電荷発生糸で編成される編地、上記編地による繊維製品に適用できる。
【００１１】
レッグウエア５０は、外部からのエネルギーによって電荷を発生する電荷発生糸により編地が編成されている。そのため、抗菌・抗かびの効果が長く持続する。また、レッグウエア５０は、電荷発生糸を用いて通常の編み方で編成されたレッグウエアと比較して、応力集中箇所をより多く設けているので、より多くの電荷を発生することができる。これにより、より強力な抗菌・抗かびの効果を得ることができる。以下にレッグウエア５０について詳しく説明する。なお、本発明の一態様における「抗菌」とは、菌が弱体化する効果、及び菌を死滅する効果の両方を含む概念である。本発明の一態様における「抗かび」も当該概念と同様である。
【００１２】
（レッグウエアの構成）
図１の（ａ）は本発明の実施形態１に係るレッグウエア５０を足の甲側から見た斜視図であり、図１の（ｂ）は図１の（ａ）を足裏側からみた斜視図である。レッグウエア５０（編地）は、電荷発生糸１０で編成されている電荷発生領域を有する。本実施形態では、レッグウエア５０全体が電荷発生糸１０で編成されているため、電荷発生領域はレッグウエア５０全体となる。電荷発生領域は、図１の（ａ）および図１の（ｂ）に示すように、伸縮領域１（第１領域）および低伸縮領域２（第２領域）を含む。
【００１３】
（電荷発生糸）
図２の（ａ）はレッグウエア５０の電荷発生糸１０（Ｓ糸と称する）の構成の一例を示す図であり、図２の（ｂ）は圧電フィルム１２の平面図であり、図２の（ｃ）は外力が加わった時の電荷発生糸１０を示す図である。図２の（ｄ）は電荷発生糸１０の構成の他の例である電荷発生糸１３を示す図であり、図２の（ｅ）はレッグウエア５０の電荷発生糸１０（Ｚ糸と称する）の構成の一例を示す図である。電荷発生糸１０は、外部からのエネルギーによって電荷を発生する。ここで、外部からのエネルギーとは電荷発生糸の伸張や形状等を変化させる種々のエネルギーのことであり、例えば、電荷発生糸１０を引っ張る力である。電荷発生糸１０は、変形や重なりが伴うように編まれた状態で引っ張る力が加えられることにより局所的な応力が発生し、さらに電荷を発生しやすくなる。
【００１４】
また、図２の（ａ）に示すように、圧電フィルム１２が芯糸１１に対して左旋回して撚られることで形成される糸はＳ糸と呼ばれ、図２の（ｅ）に示すように、圧電フィルム１２が芯糸１１に対して右旋回して撚られることで形成される糸はＺ糸と呼ばれる。ＰＬＬＡ（Poly L-LActide、ポリＬ−乳酸）フィラメントを束ねた撚糸はマルチフィラメント撚糸と呼ばれ、当該撚糸に張力が加えられると各フィラメント単位においてせん断方向の成分を持つようになり、各フィラメントは圧電効果による電圧を生じる。
【００１５】
なお、Ｓ糸及びＺ糸は、さらに撚り合わせた撚糸として使用されることも可能である。例えば、さらに撚り合わせた撚糸としては、Ｓ糸とＺ糸とを撚り合わせたもの、ならびにＳ糸及びＺ糸のいずれか一方のみを複数撚り合わせたものが挙げられる。なお、当該撚糸は、Ｓ糸またはＺ糸に加えて天然繊維または化学繊維から適宜選択されたものを撚り合わせたものであってもよい。それらが撚り合わされてＳ糸及び／またはＺ糸として編地を編成する。
【００１６】
圧電フィルム１２は、圧電体の一例である。圧電フィルム１２は、例えば、圧電性ポリマーからなる。圧電フィルム１２は、例えば、一軸延伸されたポリ乳酸のシートを、幅０．５〜２．０ｍｍ程度に切り取られることにより生成される。ポリ乳酸のようなキラル高分子は、主鎖が螺旋構造を有する。キラル高分子は、一軸延伸されて分子が配向すると、圧電性を発現する。一軸延伸されたポリ乳酸からなる圧電フィルム１２は、厚み方向を第１軸、延伸方向９００を第３軸、第１軸および第３軸の両方に直交する方向を第２軸と定義したとき、圧電歪み定数として２つのテンソル成分を有する。したがって、ポリ乳酸は、例えば、一軸延伸された方向に対して４５度の方向に歪みが生じた場合に、電荷を発生する。
【００１７】
圧電フィルム１２は、図２の（ｂ）に示すように、長軸方向と延伸方向９００とが一致している。圧電フィルム１２は、例えば、図２の（ａ）に示すように、芯糸１１に対して左旋回して撚られ、左旋回糸の電荷発生糸１０となる。その場合、延伸方向９００は、電荷発生糸１０の軸方向に対して、左４５度に傾いた状態となる。これにより、図２の（ｃ）に示すように、電荷発生糸１０に黒矢印の方向に外力が加わると、圧電フィルム１２は、表面に電荷を生じる。左旋回糸と右旋回糸とでは、外力が加わるとそれぞれ異なる電荷、負電荷または正電荷、が発生する。つまり、左旋回糸では負電荷が発生し、右旋回糸では正電荷が発生する。そのため、左旋回糸と右旋回糸とで編地を編成すると左旋回糸と右旋回糸との間で電界が発生し、抗菌・抗かび性を発現する。
【００１８】
また、図２の（ｄ）に示す電荷発生糸１０Ａおよび電荷発生糸１０Ｂは、圧電性ポリマーからなり、例えば紡糸したポリ乳酸の長繊維を互いに撚り合わせてなる。電荷発生糸１３は、表面に負の電荷を生じる電荷発生糸１０Ａと、表面に正の電荷を生じる電荷発生糸１０Ｂとを、図２の（ｄ）に示すように撚り合せて構成される。これにより、電荷発生糸１３によって電荷発生糸１３単体で電場が生じる。
【００１９】
従来から、電場により菌の増殖を抑制することができる旨が知られている。また、この電場を生じさせている電位により、汗、水分、または湿気等で形成された電流経路や、局部的なミクロな放電現象等で形成された回路を電流が流れることがある。この電流により菌の細胞膜が部分的に破壊されて菌の増殖を抑制する。
【００２０】
電荷発生糸１０を用いてレッグウエア５０を編成した場合、着用時にウォーキング等でレッグウエア５０が伸縮すると、電荷発生糸１０に外力が加わり電荷発生糸１０に電場が生じる。そのため、レッグウエア５０は着用するだけで抗菌・抗かびの効果を発揮する。なお、本実施形態において菌とは、細菌、真菌、またはダニやノミ等の微生物を含む。
【００２１】
（応力集中のしくみ）
編地に外力が加わった場合、どのように応力が集中するかを図３の（ａ）〜（ｆ）に基づき説明する。図３の（ａ）〜（ｆ）は編地を伸張させた場合の応力集中のしくみを説明する図である。より詳しくは、図３の（ａ）および（ｂ）は編地に外力が加わっていない状態、図３の（ｃ）および（ｄ）は編地に外力が加わり始める状態、図３の（ｅ）および（ｆ）は編地に外力が加わっている状態を示す。図３の（ａ）、（ｃ）、および（ｅ）はそれぞれの状態の編地の一部を拡大した写真である。図３の（ｂ）、（ｄ）、および（ｆ）は、それぞれの状態の電荷発生糸１０を拡大して応力の集中箇所を示す図であり、応力集中箇所をハッチングで示している。
【００２２】
図３の（ａ）〜（ｄ）に示すように、編地に外力が加わっても、しばらくは電荷発生糸１０で編成される編目が変形し、編目が変形している最中は電荷発生糸１０に強い応力が加わらない。編目が変形し終わると、図３の（ｅ）および（ｆ）に示すように、電荷発生糸１０のカーブ部分に応力が集中する。このように、編地は織地などと比べて構造変形する割合（編目が変形する程度の大きさ）が大きいため、通常の編み方、例えば平編みで編成された編地に外力が加わっても、電荷発生糸１０には大きな応力が加わり難い。その結果、電荷発生糸１０から多くの電荷を発生せず、電荷発生糸１０が持つ性能を最大限に引き出せているとはいえない。
【００２３】
本実施形態は、電荷発生糸１０が持つ性能を最大限に引き出すためのものであり、レッグウエア５０は、電荷発生糸１０がより多くの電荷を発生するように、伸縮領域１および低伸縮領域２を含む。これにより、レッグウエア５０は、より多くの箇所で応力を集中させることができる。
【００２４】
（伸縮領域、低伸縮領域）
伸縮領域１は、所定の伸縮性である第１伸縮性を発現する。伸縮領域１は、レッグウエア５０のうち、低伸縮領域２以外の領域である。伸縮領域１は、例えば、平編みで伸縮可能に編成されている。伸縮領域１の一端は、挿入される足の爪先に対応する箇所であり、足の各指に対応して５つに分かれて袋状に編成されている。伸縮領域１の他端は、開口部３が編成されている。レッグウエア５０は、例えば、長さが膝下まであるハイソックスでもあってよいし、ローソックスであってもよい。
【００２５】
低伸縮領域２は、第１伸縮性よりも低い第２伸縮性を有する。低伸縮領域２は、図１の（ｂ）に示すように、足の裏において、足の指の付け根に対応する箇所に点在して設けられている。伸縮領域１と低伸縮領域２とは伸縮性に差があるが、低伸縮領域２において溶融して固まった箇所は伸縮しないため、伸縮性（伸縮率）は０となる。
【００２６】
本実施形態では、レッグウエア５０に外力が加わった場合、伸縮領域１は伸縮するが、低伸縮領域２は伸縮しない非伸縮領域となっている。伸縮領域１および低伸縮領域２を含む編地に外力が加わった場合、どのように応力が集中するかを図４の（ａ）、図４の（ｂ）、および図５の（ａ）〜（ｃ）に基づき説明する。図４の（ａ）および（ｂ）は伸縮領域１および低伸縮領域２において応力が集中する箇所を説明する写真である。図５の（ａ）はレッグウエア５０の一部を拡大して、レッグウエア５０の静置状態を示す写真であり、図５の（ｂ）はレッグウエア５０をｘ方向およびｙ方向へ引っ張った場合の引張状態を示す写真であり、図５の（ｃ）は図５の（ｂ）の一部を拡大した写真である。
【００２７】
伸縮領域１および低伸縮領域２を含む編地６０をｘ方向に引っ張ると、図４の（ａ）に示すように、編目が細かくなる領域Ｅ１と編目が粗くなる領域Ｅ２が生じ、この編目が細かくなる領域Ｅ１に応力が集中する。また、図４の（ｂ）に示すように、編目が細かい領域Ｅ１においては、伸縮領域１と低伸縮領域２との境目の応力集中部４０に特に応力が集中する。
【００２８】
レッグウエア５０においても、伸縮領域１および低伸縮領域２が含まれる。そのため、図５の（ａ）〜（ｃ）に示すように、レッグウエア５０が引張状態となると、モアレ現象により、低伸縮領域２は変形しないが、伸縮領域１の編目が変形し、編目が細かい領域が生じる。そのため、編目が細かい領域においては応力が集中するので電荷を多く発生する。また、伸縮領域１と低伸縮領域２の境界には特に応力が集中するので、当該境界には、さらに多くの電荷を発生する。
【００２９】
低伸縮領域２は、例えば、伸縮領域１の一部を接着させることにより形成することができる。上記接着は、例えば、伸縮領域１の一部を溶融することにより可能となる。具体的には、電荷発生領域を編成する際、低伸縮領域２としたい箇所に熱可塑性繊維を含むように編成し、その熱可塑性繊維を熱で溶融することにより低伸縮領域２を形成することができる。接着する望ましい範囲は、同コースに隣接する２目以上の編目である。元となる伸縮領域１の編目は細かい方が望ましい。また、所望の箇所にシリコン樹脂などの別部材を重ねて固めることで、低伸縮領域２を形成することもできる。
【００３０】
レッグウエア５０に低伸縮領域２を設けて編地の伸縮を制限することで、部分的に応力集中が起こる。これにより、電荷を多く発生させることができるため、電界強度を高め、抗菌・抗かびの効果を増強させることができる。また、抗菌・抗かびの効果を高めたい箇所に選択的に応力集中させることが可能となる。
【００３１】
〔変形例〕
本発明の実施形態１の変形例であるレッグウエア５１・５２・５３について、図６の（ａ）〜（ｄ）に基づいて以下に説明する。当該変形例はレッグウエア５０と比較し、電荷発生糸１０に応力を集中させる方法が異なり、その他の構成は同様である。図６の（ａ）〜（ｄ）はレッグウエア５０の変形例を説明する図である。詳しくは、図６の（ａ）は通常の編目（平編み）を拡大して示した図である。図６の（ｂ）は実施形態１の変形例であるレッグウエア５１の編目を拡大して示した図である。図６の（ｃ）は実施形態１の他の変形例であるレッグウエア５２の編目を拡大して示した図である。図６の（ｄ）は実施形態１のさらに他の変形例であるレッグウエア５３の編目を拡大して示した図である。
【００３２】
レッグウエア５１・５２・５３の編地の編目は、それぞれ、同コース上にウェール方向の編目一つの長さが第１寸法である第１編目３１と、ウェール方向の編目一つの長さが第１寸法と異なる第２寸法である第２編目３２１・３２２・３２３とを含む。
【００３３】
同コース上に含まれる編目を構成する電荷発生糸１０の長さが異なる第１編目３１、および第２編目３２１・３２２・３２３により、各編目の伸縮性が異なる。ここで、コースおよびウェールについて説明する。コースとはレッグウエア５０の周方向に連続する編目の行であり、ウェールとはレッグウエア５０の長さ方向に連続する編目の列である。コース方向はレッグウエア５０の周方向を示し、ウェール方向は、レッグウエア５０の長さ方向を示す。同コース上とは、レッグウエア５０の周囲方向の同じ行上であることを示し、同ウェール上とは、レッグウエア５０の長さ方向の同じ列上であることを示す。
【００３４】
第１編目３１は伸縮領域１に対応し、第２編目３２１・３２２・３２３は低伸縮領域２に対応する。言い換えると、伸縮領域１と低伸縮領域２とは、互いに異なる編目構造とすることによっても編成することができる。
【００３５】
本変形例のように、編成方法を変えることで低伸縮領域２を編成することにより、接着の工程を減らすことができる。なお、実施形態１では、低伸縮領域２は非伸縮領域であったが、本変形例では低伸縮領域２は伸縮可能であり、第１伸縮性よりも低い第２伸縮性で伸縮する。以下に詳しく説明する。
【００３６】
レッグウエア５１の第２編目３２１はタック編みで編成される。第２編目３２１は、図６の（ｂ）に示すように、例えば、あるコースで編目のループを次のコースのさらにその次のコースの糸とともに合わせることで編成する。そのため、１つの第２編目３２１は、同ウェール上に並ぶ３つの第１編目３１に対応して隣接する。１つの第２編目３２１を構成する糸の長さは、同ウェール上に並ぶ３つの第１編目３１を構成する糸の長さの合計よりも短くなる。第２編目３２１のウェール方向の伸縮幅（伸縮性）は上記３つ分の第１編目３１の伸縮幅と比較して小さくなるので、当該箇所の動きが制限され、第２編目３２１のカーブ部分の応力集中部４１に応力が集中する。
【００３７】
レッグウエア５２の第２編目３２２はフロート編みで編成される。第２編目３２２は、図６の（ｃ）に示すように、例えば、あるコースで次のコースに糸をかけずに、糸を編地の裏に浮かせることで編成する。そのため、１つの第２編目３２２は、同ウェール上に並ぶ２つの第１編目３１に対応して隣接する。１つの第２編目３２２を構成する糸の長さは、同ウェール上に並ぶ２つの第１編目３１を構成する糸の長さの合計よりも短くなる。第２編目３２２のウェール方向の伸縮幅（伸縮性）は上記２つ分の第１編目３１の伸縮幅と比較して小さくなるので、当該箇所の動きが制限され、第２編目３２２のカーブ部分の応力集中部４２に応力が集中する。
【００３８】
また、レッグウエア５３のように、一目単位で編目の大きさ（度目）を変更することで伸縮性が異なる第１編目３１、および第２編目３２３を編成し、編地の動きが制限される編地を編成することもできる。この場合、例えば、図６の（ｄ）に示すように、１つの第２編目３２３を、同コース上で隣接する第１編目３１よりも小さく編成する。１つの第２編目３２３を構成する糸の長さは、同コース上で隣接する第１編目３１を構成する糸の長さよりも短くなる。そのため、第２編目３２３のウェール方向の伸縮幅（伸縮性）は隣接する第１編目３１の伸縮幅と比較して小さくなるので、当該箇所編地の動きが制限され、第２編目３２３のカーブ部分の応力集中部４３に応力が集中する。
【００３９】
言い換えると、同コース上に存在する、第１編目３１を構成する電荷発生糸１０の長さと、第２編目３２１・３２２・３２３を構成する電荷発生糸１０の長さが異なる編地に対して、例えば、引っ張る力が働いた場合、電荷発生糸１０が短い編目（第２編目３２１・３２２・３２３）のカーブ部分を構成する箇所に応力が集中する。
【００４０】
その他、目移し編み、パイル編み、または添え糸編みを用いても伸縮性が異なる編目を編成することができる。また、所望の箇所に別の糸を追加して編成する（増し糸する）ことで、伸縮性が異なる編目を編成することもできる。さらに、伸縮性を有する糸を同時に編み込むことにより、伸縮時の応力を補助することができる。
【００４１】
〔実施形態２〕
本発明の実施形態２に係るレッグウエア５０Ａについて、図７の（ａ）および図７の（ｂ）に基づいて以下に説明する。レッグウエア５０Ａは、レッグウエア５０と比較し、低伸縮領域２に代えて、低伸縮領域２ａを有する点が異なり、その他の構成は同様である。
【００４２】
図７の（ｂ）に示すように、足の裏において、足の指の付け根に対応する箇所だけでなく、足の指の股に対応する箇所も含めた爪先の裏面に対応する箇所に面形状を有する所望の大きさの低伸縮領域２ａを島状に複数配置している。このような配置にすることにより編地に必要な伸縮性を保つことができる。なお、足の指は、菌・かびが繁殖し易い。そこで、足の指に対応する箇所に低伸縮領域２ａを多く設けることで当該箇所により多くの電荷を発生させることができるので、抗菌・抗かびの効果を得ることができる。また、乾燥を避けるという観点からは、低伸縮領域２ａの踵への設置は避けることが望ましい。
【００４３】
靴下にかかわらず、抗菌・抗かびが必要な個所に面形状を有する所望の大きさの低伸縮領域を島状に複数配置することにより、編地に必要な伸縮性を保ちつつ抗菌・抗かびの効果を得ることができる。
【００４４】
なお、実施形態２および後述する実施形態２の変形例における低伸縮領域は、接着により形成するのみでなく、実施形態１の変形例で説明した方法で編成されるものであってもよい。
【００４５】
（変形例）
本発明の実施形態２の変形例であるレッグウエア５０Ｂ〜５０Ｌについて、図８の（ａ）〜（ｆ）、および図９の（ａ）〜（ｅ）に基づいて以下に説明する。当該変形例であるレッグウエア５０Ｂ・５０Ｃ・５０Ｄ・５０Ｅ・５０Ｆ・５０Ｇ・５０Ｈ・５０Ｉ・５０Ｊ・５０Ｋ・５０Ｌはレッグウエア５０Ａと比較し、低伸縮領域２ａに代えて、低伸縮領域２ｂ・２ｃ・２ｄ・２ｅ・２ｆ・２ｇ・２ｈ・２ｉ・２ｊ・２ｋ・２ｌを含む点が異なり、その他の構成は同様である。
【００４６】
レッグウエア５０Ｂでは、図８の（ａ）に示すように、足底に対応する部分全面に低伸縮領域２ｂが設けられ、足の甲に相当する部分全面に伸縮領域１が設けられている。これにより、レッグウエア５０Ｂは足底の伸びを抑えて足の甲の部分だけに伸縮性を与えることができ、足の甲側と裏側の境界に電荷を多く発生させることができる。
【００４７】
また、デザインを考慮しつつ低伸縮領域を設けることも可能である。例えば、レッグウエア５０Ｃでは、図８の（ｂ）に示すように、足の裏側の爪先に対応する部分、および踵に対応する部分に円形の低伸縮領域２ｃが設けられ、さらに足の甲に対応する部分に円形の低伸縮領域２ｃが設けられている。
【００４８】
また、レッグウエア全体に電荷を発生させたい場合は、図８の（ｃ）〜（ｆ）に示す、レッグウエア５０Ｄ・５０Ｅ・５０Ｆ・５０Ｇの低伸縮領域２ｄ・２ｅ・２ｆ・２ｇのように、レッグウエア全体に低伸縮領域を設けることが望ましい。例えば、レッグウエア５０Ｄでは、レッグウエア５０Ｄ全体に低伸縮領域２ｄがジグザグに連続して編成されたパターンが設けられている。レッグウエアの全体に低伸縮領域を設ける場合、低伸縮領域を設ける間隔を調整することで、発生する電荷量、およびレッグウエアの伸縮性を調整することができる。また、レッグウエア５０Ｄは、特にレッグウエア５０Ｄの伸縮性を抑えたいときに有効である。
【００４９】
さらに、部分的に電荷を発生させたい場合は、図９の（ａ）〜（ｅ）に示す、レッグウエア５０Ｈ・５０Ｉ・５０Ｊ・５０Ｋ・５０Ｌのように、低伸縮領域２ｈ・２ｉ・２ｊ・２ｋ・２ｌを部分的に点在させるように設けることが望ましい。例えば、レッグウエア５０Ｈでは、レッグウエア５０Ｈのアキレス腱に対応する部分に低伸縮領域２ｈが設けられている。低伸縮領域を所望の箇所に設けることで、抗菌・抗かびの効果を得たいとこにピンポイントで電荷を多く発生させることができる。レッグウエアにおいて低伸縮領域を設けるとレッグウエアが伸縮しにくくなるが、低伸縮領域を連続して設けないことにより、一定の伸縮性を保つことができる。
【００５０】
また、図９の（ａ）に示す低伸縮領域２ｈは、図９の（ａ）においてレッグウエア５０Ｈの裏側にもレッグウエア５０Ｈの表側と同様に設けられている。すなわち、低伸縮領域２ｈは、レッグウエア５０Ｈにおいて左右対称に設けられている。図９の（ｂ）に示す低伸縮領域２ｉは、図９の（ｂ）においてレッグウエア５０Ｉの裏側にもレッグウエア５０Ｉの表側と同様に設けられている。すなわち、低伸縮領域２ｉは、レッグウエア５０Ｉにおいて左右対称に設けられている。
【００５１】
〔実施形態３〕
本発明の実施形態３に係るレッグウエア５０Ｍについて、図１０に基づいて以下に説明する。図１０は本発明の実施形態３に係るレッグウエア５０Ｍの左側面図である。レッグウエア５０Ｍは、レッグウエア５０と比較し、伸縮領域１、および低伸縮領域２に代えて、伸縮領域１ｍ、低伸縮領域２１ｍ〜２５ｍ、および開口部７０を有する点が異なり、その他の構成は同様である。
【００５２】
レッグウエア５０Ｍは、医療機関において深部静脈血栓症の予防のために患者に着用させる弾性ストッキングである。医療の現場では弾性ストッキングの着用により褥瘡が発生することが問題となっている。弾性ストッキングの着用により褥瘡が発生する可能性がある足の部位（褥瘡発生部位）は特定されている。当該皮膚が弾性ストッキングと擦れることによって創傷が発生し、上記創傷が細菌感染することで褥瘡が発生する。本実施形態は、レッグウエア５０Ｍにおいて褥瘡発生部位に対応する箇所である褥瘡対応箇所に低伸縮領域を設ける。これにより、褥瘡対応箇所における電荷発生糸１０の圧電効果を高めることで当該箇所の抗菌・抗かびの効果を高め、擦れにより皮膚の創傷が起きた場合であっても細菌の感染を防ぐ。
【００５３】
伸縮領域１ｍは、弾性ストッキングとしての所定の伸縮性である第３伸縮性を有する。伸縮領域１ｍは、レッグウエア５０のうち、低伸縮領域２１ｍ〜２５ｍ以外の領域である。伸縮領域１ｍの一端は、挿入される足の爪先に対応する箇所であり、爪先に対応する箇所の甲側には開口部７０が設けられている。開口部７０により、レッグウエア５０Ｍを脱がなくても足の血流の様子を外部から観察することができる。
【００５４】
低伸縮領域２１ｍ〜２５ｍは、非伸縮領域である。言い換えると、低伸縮領域２１ｍ〜２５ｍは、第３伸縮性よりも低い第４伸縮性を有する。
【００５５】
図１０に示すように、開口部３（口ゴム部）においてレッグウエア５０Ｍの周方向に沿って環状かつ帯状に、面形状を有する所望の大きさの低伸縮領域２１ｍを島状に複数配置している。低伸縮領域２２ｍは、踝に対応する箇所においてレッグウエア５０Ｍの周方向に沿って環状かつ帯状に点在して設けられている。低伸縮領域２３ｍは、足関節部の甲側に対応する箇所、具体的には脛骨と距骨の間に対応する箇所、において帯状に点在して設けられている。低伸縮領域２４ｍは、踵に対応する箇所において点在して設けられている。低伸縮領域２５ｍは、足趾関節部に対応する箇所においてレッグウエア５０Ｍの周方向に沿って環状かつ帯状に点在して設けられている。
【００５６】
伸縮領域１ｍ、および低伸縮領域２１ｍ〜２５ｍが設けられている箇所はそれぞれ褥瘡対応箇所である。言い換えると、褥瘡対応箇所には電荷発生領域が配置されている。低伸縮領域２１ｍ〜２５ｍは接着により形成されているが、上記に限らず実施形態１の変形例で説明した方法で編成されるものであってもよい。
【００５７】
また、レッグウエア５０Ｍは、低伸縮領域２１ｍ〜２５ｍが点在している領域において全体が接着されている構成であってもよい。その場合、例えば、開口部３付近においてはレッグウエア５０Ｍの周方向に沿って帯状の低伸縮領域２１ｍが開口部３の褥瘡対応箇所に配置され、帯状の低伸縮領域２１ｍと伸縮領域１ｍとの境界において応力が集中し、当該境界で抗菌・抗かび作用が増加する。当該境界には、例えば、図１４に示す接着部２２ｂと電荷発生糸１０との間の境界付近が含まれる。
【００５８】
図１１は、レッグウエア５０Ｍの低伸縮領域２１ｍの拡大図である。図１１に示すように、低伸縮領域２１ｍには、接着部２１ｂが複数設けられている。接着部２１ｂは、低伸縮領域２１ｍのうち、電荷発生糸１０が互いに接着している部分である。接着部２１ｂのコース方向に沿った幅は、接着部２１ｂのウェール方向に沿った幅よりも大きい。レッグウエア５０Ｍを引っ張る力が働いた場合、接着部２１ｂに応力が集中する。
【００５９】
図１２は、編地を伸張させることにより編地に歪みｄ１が生じた場合の応力ｐ１の大きさを示す図である。図１２において、横軸は歪みｄ１（％）の割合であり、縦軸は応力ｐ１（Ｍｐａ）の大きさを示している。図１２では、レッグウエア５０Ｍの一部を試料としたときの試料に加わる応力の大きさを測定している。
【００６０】
応力の大きさを測定するときの条件は、その試料を３つ折りにして、３つ折りにされた試料の全長が１００ｍｍであり、引張速度が１００ｍｍ／ｍｉｎであり、３つ折りにされた試料の断面積が５．３３３×１０−６ｍ２である。また、試料には５０Ｎの力が加えられている。
【００６１】
また、図１２において、線Ｌ１は試料の伸縮領域に加わる応力ｐ１の大きさを示しており、線Ｌ２は試料の低伸縮領域２１ｍに設けられた接着部２１ｂに加わる応力ｐ１の大きさを示している。図１２において、歪みｄ１＝１５％であるとき、試料の伸縮領域１ｍに加わる応力ｐ１の大きさは０．４１ＭＰａであり、試料の低伸縮領域２１ｍに設けられた接着部２１ｂに加わる応力ｐ１の大きさは０．７８ＭＰａであった。したがって、低伸縮領域２１ｍに設けられた接着部２１ｂに加わる応力ｐ１の大きさは、伸縮領域１ｍに加わる応力ｐ１の大きさよりも大きい。レッグウエア５０Ｍにおいて、接着部２１ｂに応力を強く生じさせることができる。
【００６２】
図１３の（ａ）は、レッグウエア５０Ｍの一部である試料において、水滴８０が接着部２１ｂに接触している様子を示す模式図である。図１３の（ｂ）は、レッグウエア５０Ｍとは異なるレッグウエアの一部である試料において、水滴８０が接着部２２ｂに接触している様子を示す模式図である。水滴８０は菌を含む水滴である。
【００６３】
図１３の（ｂ）に示す場合と同様に、レッグウエア５０Ｍの低伸縮領域２１ｍには、接着部２１ｂの代わりに接着部２２ｂが複数設けられていてもよい。このとき、接着部２２ｂは、低伸縮領域２１ｍのうち、電荷発生糸１０が互いに接着している部分である。接着部２２ｂのコース方向に沿った幅は、接着部２２ｂのウェール方向に沿った幅よりも小さい。つまり、接着部２１ｂはコース方向に長く、接着部２２ｂはウェール方向に長い。
【００６４】
レッグウエアが使用されるとき、レッグウエアはウェール方向に引っ張られる場合が多い。図１３の（ａ）及び（ｂ）に示すように、ウェール方向と垂直な方向であるコース方向に沿って接着部２１ｂが延伸する部分と水滴８０とが接触する面積は、当該方向に沿って接着部２２ｂが延伸する部分と水滴８０とが接触する面積より大きい。これにより、レッグウエアがウェール方向に引っ張られた場合、接着部２１ｂに応力が生じる部分の面積は、接着部２２ｂに応力が生じる部分の面積より大きくなる。よって、接着部２１ｂによる抗菌・抗かびの効果は、接着部２２ｂによる抗菌・抗かびの効果より高くなる。
【００６５】
また、抗菌・抗かびの効果を調べるために、以下の引張試験及び静置試験（対照試験）を行った。引張試験とは、菌・かびが含まれる水に試料を浸し、試料を引っ張ることにより抗菌・抗かびの効果（抗菌・抗かび活性値）を調べる試験である。静置試験とは、菌・かびが含まれる水に試料を浸すことにより抗菌・抗かびの効果（抗菌・抗かび活性値）を調べる試験である。静置試験では試料は引っ張らない。
【００６６】
抗菌活性値を調べる試験では、試料０．２ｇをバイエル瓶に入れ、接種菌液量０．１ｍｌを試料に接種し、３７±２℃で１８±１時間培養を行う。非イオン界面活性剤０．０５％を含む生理食塩水２０ｍｌを試料に加えて、試料から菌を洗い出す。菌の洗い出しの動作中において、菌液の中の菌を混釈平板培養法（コロニー法）または発光測定法（ＡＴＰ法）により測定することにより、抗菌・抗かび活性値を算出する。一般的には、抗菌活性値は、２．０〜２．２以上である必要がある。菌としては、黄色ブドウ球菌を用いることが多い。
【００６７】
また、引張試験を様々な条件で行った結果を以下の表１及び表２に示す。表１は、接着部が設けられていない試料を用いて引張試験及び静置試験を行った結果を示す。表２は、接着部２１ｂが設けられた試料を用いて引張試験及び静置試験を行った結果を示す。また、表１及び表２は、図１２において、歪みｄ１＝１５％であるときの結果を示す。
【表１】
2018235965.tif 000003
【００６８】
【表２】
2018235965.tif 000004
抗菌活性値の算出方法については、菌液吸収法（ＪＩＳ  Ｌ１９０２）に従って以下の式（１）を用いる。抗菌活性値をＡとすると、抗菌活性値Ａは、以下の式（１）によって求められる。なお、発光測定法の場合は、ＡＴＰ（アデノシン三リン酸）の量から算出する。
【００６９】
Ａ＝（ｌｏｇＣｔ−ｌｏｇＣ０）−（ｌｏｇＴｔ−ｌｏｇＴ０）＝Ｆ−Ｇ・・・（１）
ｌｏｇＣ０は接種直後の対照試料の生菌数であり、ｌｏｇＣｔは１８〜２４時間培養後の対照試料の生菌数であり、ｌｏｇＴ０は接種直後の試験試料の生菌数であり、ｌｏｇＴｔは１８〜２４時間培養後の試験試料の生菌数である。また、Ｆは対照試料の菌の増殖値であり、Ｇは試験試料の菌の増殖値である。ここで、対照試料は、加工されていない標準布の試料であり、試験試料は、加工されている試料である。表１及び表２では、前記の式（１）を用いて抗菌活性値を算出している。なお、抗かび試験も同様に行われる。
【００７０】
表１及び表２における抗かび試験において、「接種直後」の列には、試料がかびに接触した直後のかびの増殖値が示されており、「４２時間培養後」の列には、試料がかびに接触してから４２時間後のかびの増殖値が示されている。この４２時間の間には、引張試験または静置試験が行われる。「引張試験後または静置試験後のかびの増殖値」の列には、引張試験後または静置試験後のかびの増殖値が示されている。
【００７１】
引張試験後または静置試験後の増殖値は、試料がかびに接触してから４２時間後のかびの増殖値から、試料がかびに接触した直後のかびの増殖値を差し引いた値である。抗かび活性値は、静置試験後のかびの増殖値から引張試験後のかびの増殖値を差し引いた値である。また、表１及び表２において、「引張試験」の行には、引張試験を行ったときの結果が示されており、「静置試験」の行には、静置試験を行ったときの結果が示されている。
【００７２】
表１に示すように、接着部が設けられていない試料の場合、抗かび活性値は２．２６となる。表２に示すように、接着部２１ｂが設けられた試料の場合、抗かび活性値は３．９４となる。よって、接着部２１ｂが設けられた試料の抗かび活性値は、接着部が設けられていない試料の抗かび活性値よりも高い。つまり、接着部２１ｂが設けられた試料の抗かびの効果は、接着部が設けられていない試料の抗かびの効果よりも高い。図１２、表１、及び表２に示す結果より、応力が大きいほど、抗かびの効果も高くなる。
【００７３】
図１４は、接着部２１ｂ付近の電荷発生糸１０に加わる応力の大きさを示す図である。図１４に示すように、接着部２１ｂ付近では、電荷発生糸１０のカーブ部分に応力が集中する。カーブ部分とは、図１４に示すカーブ部分ｃ１・ｃ２である。カーブ部分ｃ１・ｃ２では、電荷発生糸１０の他の部分と比べて、構造変形する割合が大きい。
【００７４】
（付記事項）
以上の様な編地は、各種の衣料、医療部材等の製品に適用可能である。例えば、編地は、肌着（特にレッグウエア）、タオル、靴およびブーツ等の中敷き、スポーツウェア全般、帽子、寝具（布団、マットレス、シーツ、枕、枕カバー等を含む）、ペット関連商品（ペット用マット、ペット用服、ペット用服のインナー）、各種マット品（足、手、便座、またはバスマット等）、カーテン、シート（車、電車または飛行機等のシート）、ソファ、包帯、ガーゼ、マスク、医者および患者の服、サポーター、あるいは、スポーツ用品（ウェアおよびグローブのインナー、または武道で使用する籠手等）に適用することができる。
【００７５】
〔まとめ〕
本発明の一態様に係る編地は、外部からのエネルギーによって電荷を発生する電荷発生糸により編成された電荷発生領域を有し、前記電荷発生領域は、第１伸縮性を有する第１領域と、前記第１伸縮性よりも低い第２伸縮性を有する第２領域とを含むことを特徴とする。
【００７６】
上記構成によれば、編地には、外部からのエネルギーによって電荷を発生する電荷発生糸により電荷発生領域が編成されている。そのため、抗菌・抗かびの効果が長く持続する。
【００７７】
また、電荷発生領域に含まれる第１領域と第２領域とは伸縮性に差があるため、例えば、編地を引っ張る力が働いた場合、第１領域と第２領域との境界に応力が集中する。そのため、例えば、第１領域のみの編地と比較して、応力が集中する部分を多く設けることができるため、電荷をより多く発生させることができる。その結果、電界強度を高め、抗菌・抗かびの効果を高めることができる。
【００７８】
上記編地では、前記第２領域は、前記電荷発生領域の一部が溶融されて形成されていることが好ましい。
【００７９】
上記構成によれば、第２領域は電荷発生領域の一部を溶融することにより形成されるため、第１領域は伸縮し、第２領域は伸縮しない。そのため、第１領域と第２領域との伸縮性の差が大きくなり、第１領域と第２領域との境界に応力が集中する。その結果、電荷をより多く発生させることができる。
【００８０】
上記編地では、前記第１領域と前記第２領域とは、編目構造が互いに異なっていることが好ましい。
【００８１】
上記構成によれば、第１領域と第２領域とを編み方を変えることで編成することができる。
【００８２】
上記編地では、前記第２領域は、前記電荷発生領域に増し糸されて編成されていることが好ましい。
【００８３】
上記構成によれば、電荷発生領域に増し糸することにより第２領域を編成することができる。
【００８４】
上記の課題を解決するために、本発明の一態様に係る編地は、外部からのエネルギーによって電荷を発生する電荷発生糸により編成された電荷発生領域を有し、前記電荷発生領域は、ウェール方向の編目一つの長さが第１寸法である第１編目と、前記ウェール方向の編目一つの長さが前記第１寸法とは異なる第２寸法である第２編目とを同コース上に含むことを特徴とする。
【００８５】
上記構成によれば、外部からのエネルギーによって電荷を発生する電荷発生糸により電荷発生領域が編成されている。そのため、抗菌・抗かびの効果が長く持続する。
【００８６】
また、電荷発生領域は、同コース上に含まれているウェール方向の編目一つの長さが異なる第１編目および第２編目により、各編目の伸縮性が異なる。したがって、例えば、編地を引っ張る力が働いた場合、伸縮性が小さい編目のカーブ部分に応力が集中する。
【００８７】
言い換えると、同コース上に存在する、第１編目を構成する電荷発生糸の長さと、第２編目を構成する電荷発生糸の長さが異なる編地に対して、引っ張る力が働いた場合、電荷発生糸が短い編目のカーブ部分を構成する箇所に応力が集中する。
【００８８】
そのため、全てが第１編目で編成された編地と比較して、より応力が集中する部分ができるため、電荷をより多く発生させることができる。その結果、電界強度を高め、抗菌・抗かびの効果を高めることができる。
【００８９】
上記繊維製品は上記編地で編成されていることが好ましい。上記構成によれば、編地の効果を有する繊維製品を編成することができる。
【００９０】
上記繊維製品はレッグウエアであり、褥瘡が発生する可能性がある足の部位に対応する箇所である褥瘡対応箇所に前記電荷発生領域が配置されていることが好ましい。
【００９１】
上記構成によれば、褥瘡対応箇所における細菌を抗菌することで細菌の感染を防ぐことができる。その結果、褥瘡の発生を防ぐことができる。
【００９２】
上記編地で編成されているレッグウエアでは、褥瘡が発生する可能性がある足の部位に対応する箇所である褥瘡対応箇所に前記第２領域が配置されていることが好ましい。
【００９３】
上記構成によれば、褥瘡対応箇所における細菌を抗菌することで細菌の感染を防ぐことができる。その結果、褥瘡の発生を防ぐことができる。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９５】
１・１ｍ  伸縮領域（第１領域）
２・２ａ・２ｂ・２ｃ・２ｄ・２ｅ・２ｆ・２ｇ・２ｈ・２ｉ・２ｊ・２ｋ・２ｌ・２１ｍ・２２ｍ・２３ｍ・２４ｍ・２５ｍ  低伸縮領域（第２領域）
１０・１０Ａ・１０Ｂ・１３  電荷発生糸
３１  第１編目
５０・５０Ａ・５０Ｂ・５０Ｃ・５０Ｄ・５０Ｅ・５０Ｆ・５０Ｇ・５０Ｈ・５０Ｉ・５０Ｊ・５０Ｋ・５０Ｌ・５０Ｍ・５１・５２・５３  レッグウエア（編地、電荷発生領域）
３２１・３２２・３２３  第２編目
【図１】
2018235965.tif 000005
【図２】
2018235965.tif 000006
【図３】
2018235965.tif 000007
【図４】
2018235965.tif 000008
【図５】
2018235965.tif 000009
【図６】
2018235965.tif 000010
【図７】
2018235965.tif 000011
【図８】
2018235965.tif 000012
【図９】
2018235965.tif 000013
【図１０】
2018235965.tif 000014
【図１１】
2018235965.tif 000015
【図１２】
2018235965.tif 000016
【図１３】
2018235965.tif 000017
【図１４】
2018235965.tif 000018
【国際調査報告】
2018235965.tif 000019
2018235965.tif 000020
2018235965.tif 000021
2018235965.tif 000022